(57)【要約】【課題】安全性をより確保することができる昇降装置を備えたトイレ装置を提供することを目的とする。【解決手段】ボウルを有する便器と、前記ボウルよりも後方における前記便器の上面に設置され機能部品を内蔵するケーシングと、前記ケーシングに回動可能に取り付けられた便座と、前記便器から前記ケーシングを昇降させる昇降装置と、前記昇降装置により前記ケーシングが前記便器から上昇した状態において、前記ケーシングが上昇していることを報知する報知手段と、を備えたことを特徴とするトイレ装置が提供される。【選択図】図２
2010269063.tif 000002
【特許請求の範囲】
【請求項１】
ボウルを有する便器と、
前記ボウルよりも後方における前記便器の上面に設置され機能部品を内蔵するケーシングと、
前記ケーシングに回動可能に取り付けられた便座と、
前記便器から前記ケーシングを昇降させる昇降装置と、
前記昇降装置により前記ケーシングが前記便器から上昇した状態において、前記ケーシングが上昇していることを報知する報知手段と、
を備えたことを特徴とするトイレ装置。
【請求項２】
前記報知手段は、前記ケーシングが前記便器から上昇した状態において、前記便座が閉じると、前記ケーシングが上昇していることを報知することを特徴とする請求項１記載のトイレ装置。
【請求項３】
前記ケーシングの位置を検知する位置検知手段と、
前記便座の開閉状況を検知する便座開閉検知手段と、
前記位置検知手段および前記便座開閉検知手段からの出力に基づいて前記ケーシングが上昇していることを前記報知手段に報知させる制御部と、
をさらに備えたことを特徴とする請求項２記載のトイレ装置。
【請求項４】
前記報知手段は、前記ケーシングが前記便器から上昇した状態が所定時間を経過すると、前記ケーシングが上昇していることを音声により報知することを特徴とする請求項１記載のトイレ装置。
【請求項５】
前記ケーシングの位置を検知する位置検知手段と、
前記位置検知手段により検知された前記ケーシングの上昇状態が所定時間を経過すると、前記ケーシングが上昇していることを前記報知手段に報知させる制御部と、
をさらに備えたことを特徴とする請求項４記載のトイレ装置。
【発明の詳細な説明】
【技術分野】
【０００１】
本発明の態様は、一般的に、トイレ装置に関し、具体的には洋式腰掛便器に腰かけた使用者の「おしり」などを水で洗浄可能としたトイレ装置に関する。
【背景技術】
【０００２】
トイレ装置のなかには、例えば、便座に座った使用者の「おしり」などを洗浄する局部洗浄機能や、便座に座った使用者の「おしり」などに向けて温風を吹き付けて乾燥させる温風乾燥機能などを有する局部洗浄装置が設けられたものがある。このような局部洗浄装置が有する各種機能の機能部品は、一般的に、洋式腰掛便器（以下、単に「便器」と称する）の後方上部に設置されたケーシングに内蔵されている。このとき、局部洗浄装置のケーシングと、便器の上面と、の間の隙間に汚水が浸入し、その隙間から異臭が発生する場合がある。
【０００３】
そこで、洋式便器の後部上面に装着される便器装着体の下面と、洋式便器の上面と、の間に清掃等に十分な隙間を形成するため、便器装着体を洋式便器の上面から引き離すように持ち上げるリフト機構がある（特許文献１）。特許文献１に記載されたリフト機構は、自由端側を常時互いに離れ出させる向きに付勢手段により付勢される一対のアーム体を有する。そして、清掃時には、リフト機構は、アーム体の自由端を開くことにより便器装着体を持ち上げ、便器装着体の上昇を保持する。これにより、便器装着体の下面と、洋式便器の上面と、の間に清掃等に十分な隙間を形成することができる。
【０００４】
しかしながら、特許文献１に記載されたリフト機構では、便器装着体を下方に押し下げる方向に力がかかると、リフト機構による便器装着体の上昇状態が維持されず、その便器装着体は下降するおそれがある。つまり、特許文献１に記載されたリフト機構では、安全性に関してさらなる改善の余地がある。そこで、安全性を確保するための１つの方法として、便器装着体の上昇時に一対のアーム体を９０度以上回動させ、便器装着体を下方に押し下げる方向に力がかかっても便器装着体が下降しないようにする方法が挙げられる。
【０００５】
しかしながら、リフト機構がそのような構造を有する場合には、例えば、便器装着体が上昇した状態において、使用者などが便器装着体に設けられた便座を下ろして着座すると、リフト機構に大きな荷重がかかる。そうすると、リフト機構や便器装着体や便座などが破損するおそれがある。その際、破損により着座時のバランスを失う可能性があり、使用者の安全性が損なわれる。
【先行技術文献】
【特許文献】
【０００６】
【特許文献１】特開２００１−２５２２２１号公報
【発明の概要】
【発明が解決しようとする課題】
【０００７】
本発明は、かかる課題の認識に基づいてなされたものであり、安全性をより確保することができる昇降装置を備えたトイレ装置を提供することを目的とする。
【課題を解決するための手段】
【０００８】
第１の発明は、ボウルを有する便器と、前記ボウルよりも後方における前記便器の上面に設置され機能部品を内蔵するケーシングと、前記ケーシングに回動可能に取り付けられた便座と、前記便器から前記ケーシングを昇降させる昇降装置と、前記昇降装置により前記ケーシングが前記便器から上昇した状態において、前記ケーシングが上昇していることを報知する報知手段と、を備えたことを特徴とするトイレ装置である。  
このトイレ装置によれば、報知手段は、ケーシングが便器から上昇した状態であることを音や表示などにより報知し警告するため、使用者は、ケーシングが上昇状態であることに気付くことができる。そのため、ケーシングが上昇した状態において、使用者が便座を下ろして着座することを抑制することができる。これにより、昇降装置やケーシングや便座などが破損することを抑制することができる。また、使用者がバランスを崩すことを抑制することができ、安全性をより確保することができる。
【０００９】
また、第２の発明は、第１の発明において、前記報知手段は、前記ケーシングが前記便器から上昇した状態において、前記便座が閉じると、前記ケーシングが上昇していることを報知することを特徴とするトイレ装置である。  
このトイレ装置によれば、報知手段は、ケーシングが便器から上昇し、便座が閉じた際に報知するため、使用者が便座に着座する前に報知し警告することができる。そのため、使用者が便座を下ろして着座することを抑制することができる。これにより、昇降装置やケーシングや便座などが破損することをより確実に抑制することができる。
【００１０】
また、第３の発明は、第２の発明において、前記ケーシングの位置を検知する位置検知手段と、前記便座の開閉状況を検知する便座開閉検知手段と、前記位置検知手段および前記便座開閉検知手段からの出力に基づいて前記ケーシングが上昇していることを前記報知手段に報知させる制御部と、をさらに備えたことを特徴とするトイレ装置である。  
このトイレ装置によれば、制御部は、ケーシングの位置を検知する位置検知手段と、便座の開閉状況を検知する開閉検知手段と、の出力に基づいて報知の有無を決定するため、使用者が便座に着座する前に報知し警告することができる。そのため、使用者が便座を下ろして着座することを抑制することができる。これにより、昇降装置やケーシングや便座などが破損することをより確実に抑制することができる。
【００１１】
また、第４の発明は、第１の発明において、前記報知手段は、前記ケーシングが前記便器から上昇した状態が所定時間を経過すると、前記ケーシングが上昇していることを音声により報知することを特徴とするトイレ装置である。  
このトイレ装置によれば、ケーシングが便器から上昇した状態が所定時間を経過すると、報知手段は、ケーシングが便器から上昇した状態であることを音声により報知する。そのため、使用者がケーシングを下降させることを忘れてトイレ室から退室した場合でも、報知手段は、その操作忘れを使用者に気付かせることができる。つまり、報知手段は、ケーシングを下降させることを使用者に促すことができる。そのため、使用者は、トイレ室に戻り、トイレ装置を使用可能な状態に戻すことができる。
【００１２】
また、第５の発明は、第４の発明において、前記ケーシングの位置を検知する位置検知手段と、前記位置検知手段により検知された前記ケーシングの上昇状態が所定時間を経過すると、前記ケーシングが上昇していることを前記報知手段に報知させる制御部と、をさらに備えたことを特徴とするトイレ装置である。  
このトイレ装置によれば、制御部は、ケーシングの位置を検知する位置検知手段がケーシングの上昇状態を検知した時間に基づいて音声による報知の有無を決定する。そのため、使用者がケーシングを下降させることを忘れてトイレ室から退室した場合でも、報知手段は、その操作忘れを使用者に気付かせることができる。つまり、報知手段は、ケーシングを下降させることを使用者に促すことができる。そのため、使用者は、トイレ室に戻り、トイレ装置を使用可能な状態に戻すことができる。
【発明の効果】
【００１３】
本発明の態様によれば、安全性をより確保することができる昇降装置を備えたトイレ装置が提供される。
【図面の簡単な説明】
【００１４】
【図１】本発明の実施の形態にかかるトイレ装置を表す斜視模式図である。
【図２】本実施形態にかかるトイレ装置の主構成を表すブロック図である。
【図３】本実施形態のケーシングを下側から眺めた斜視模式図である。
【図４】ケーシングの前方部が上昇した状態を側方から眺めた断面模式図である。
【図５】本実施形態のケースプレートを下側から眺めた斜視模式図である。
【図６】本実施形態の位置検知手段の構造を説明するための断面模式図である。
【図７】本実施形態の位置検知手段を上方から眺めた斜視模式図である。
【図８】本実施形態の位置検知手段を下方から眺めた斜視模式図である。
【図９】本実施形態のホールＩＣカバーの取付構造を表す斜視模式図である。
【図１０】位置検知手段の動作と制御部の判断との関係を説明するための断面模式図である。
【図１１】ホールＩＣ基板の検知範囲およびマグネットの回動軌跡を表す断面模式図である。
【図１２】本実施形態にかかるトイレ装置の動作の具体例を表すフローチャートである。
【図１３】本実施形態にかかるトイレ装置の動作の他の具体例を表すフローチャートである。
【発明を実施するための形態】
【００１５】
以下、本発明の実施の形態について図面を参照しつつ説明する。なお、各図面中、同様の構成要素には同一の符号を付して詳細な説明は適宜省略する。  
図１は、本発明の実施の形態にかかるトイレ装置を表す斜視模式図である。  
また、図２は、本実施形態にかかるトイレ装置の主構成を表すブロック図である。  
なお、図１（ａ）は、本実施形態にかかるトイレ装置においてハンドルを引き出した状態を表す斜視模式図であり、図１（ｂ）は、本実施形態にかかるトイレ装置においてハンドルを回動させた状態を表す斜視模式図である。
【００１６】
本実施形態にかかるトイレ装置は、前部にボウル８１０を有する便器８００と、便器８００の上部に設置された局部洗浄装置１００と、を備える。局部洗浄装置１００は、ボウル８１０の後方上部に設置されたケーシング２００と、そのケーシング２００に対して開閉自在に軸支された便座３００および便蓋４００と、を有する。
【００１７】
ケーシング２００の内部には、便座３００に座った使用者の「おしり」などの洗浄を実現する局部洗浄機能部２５０が内蔵されている。また、ケーシング２００の内部には、便座３００に座った使用者の「おしり」などに向けて温風を吹き付けて乾燥させる乾燥装置２６０と、便器８００のボウル８１０内の空気を吸い込み、フィルタや触媒などを介して臭気成分を低減させる脱臭装置２７０と、が内蔵されている。またさらに、ケーシング２００の内部には、局部洗浄機能部２５０や便器洗浄装置２８０などの動作を制御する制御部２１０が内蔵されている。便器８００のボウル８１０の後方には、ボウル８１０を洗浄する便器洗浄装置２８０が設けられている。
【００１８】
また、便器８００の後方側部には、パネル８３０が設けられている。これによれば、パネル８３０は、便器８００の側面や適宜設けられた配管などを覆い隠すことができるため、意匠性を確保することができる。なお、パネル８３０は、便器８００と一体的に形成されていてもよい。
【００１９】
ケーシング２００の下部には、図１（ａ）および図１（ｂ）に表したように、ハンドル５４０が設けられている。使用者は、例えば手などを利用することにより、図１（ａ）に表した矢印Ａ１のように、ハンドル５４０を右側方に引き出すことができる。そしてさらに、使用者は、図１（ｂ）に表した矢印Ａ２のように、その引き出したハンドル５４０を回動させることができる。そうすると、ケーシング２００の前方部は、図１（ｂ）に表した矢印Ａ３のように、ケーシング２００の後方部を中心として回動し、便器８００の上面８２０から上昇して離間できる。
【００２０】
そうすると、図１（ｂ）に表したように、ハンドル５４０を矢印Ａ２の方向に回動させる前、すなわちケーシング２００の前方部が上昇する前よりも大きな隙間が、ケーシング２００と、便器８００の上面８２０と、の間において生ずる。これによれば、使用者は、ケーシング２００と、便器８００の上面８２０と、の間の隙間から清掃用具や手などを入れることにより、その隙間の部分や、ケーシング２００の下面に設けられたパッキン２０５などを容易に清掃することができる。なお、パッキン２０５は、ケーシング２００が下降しているときに、ケーシング２００と便器８００との間への汚水浸入を防止することができる。
【００２１】
また、ケーシング２００と、便器８００の上面８２０と、の間の隙間に汚れやゴミが溜まったり、パッキン２０５に汚れが付着したままの状態となることを抑制することができる。そのため、便器８００の上面８２０との間の隙間や、パッキン２０５から異臭が発生することを抑制することができる。
【００２２】
ここで、例えば、清掃者が清掃後にハンドル５４０を回動させることを忘れ、ケーシング２００を下降させることを忘れると、ケーシング２００は、便器８００の上面８２０から上昇した状態で放置される。そうすると、トイレ室に入室してきた清掃者以外の人は、ケーシング２００が便器８００の上面８２０から上昇していることに気付かず、便座３００を下ろして着座するおそれがある。あるいは、清掃者自身は、ケーシング２００を便器８００の上面８２０から上昇させたことを忘れ、便座３００を下ろして着座するおそれがある。
【００２３】
そうすると、後に詳述するが、ケーシング２００の前方部を便器８００の上面８２０から上昇させ離間させる昇降装置５００（図３参照）に大きな荷重がかかり、昇降装置５００やケーシング２００や便座３００などが破損するおそれがある。あるいは、ケーシング２００が便器８００の上面８２０から上昇した状態において、そのケーシング２００に軸支された便座３００に使用者が着座すると、便器８００の上面８２０から浮いていた便座３００の位置が、昇降装置５００やケーシング２００や便座３００などの破損によって急激に変化するおそれがある。これにより、使用者は、バランスを崩すおそれがある。
【００２４】
そこで、本実施形態にかかるトイレ装置は、図２に表したように、ケーシング２００が便器８００の上面８２０から上昇した状態であることを報知可能な報知手段２４０を備える。また、本実施形態にかかるトイレ装置は、ケーシング２００の位置を検知する位置検知手段６００と、便座３００の開閉状況を検知する便座開閉検知手段２３０と、を備える。
【００２５】
報知手段２４０は、ケーシング２００に内蔵されていてよいし、例えばトイレ室の壁面などに設置された操作部（リモコン）７００に内蔵されていてもよい。また、図２に表したブロック図では、報知方法が音声（ブザー）である場合を例示しているが、これだけに限定されず、報知手段２４０の報知方法は、光や表示であってもよい。  
便座開閉検知手段２３０としては、例えば、ホールＩＣまたはマイクロスイッチなどを用いることができる。そのため、便座開閉検知手段２３０は、ケーシング２００に内蔵されていることに限定されず、便座３００のヒンジ部やケーシング２００の外部に設けられていてもよい。つまり、便座開閉検知手段２３０は、便座３００の開閉を検知できればよい。  
位置検知手段６００については、後に詳述する。
【００２６】
そして、ケーシング２００が便器８００の上面８２０から上昇した状態において、便座３００が閉じると、報知手段２４０は、ケーシング２００が便器８００の上面８２０から上昇した状態であることを報知する。より具体的には、位置検知手段６００がケーシング２００の上昇状態を検知している場合において、便座開閉検知手段２３０が便座の閉止を検知すると、制御部２１０は、ケーシング２００が便器８００の上面８２０から上昇した状態であることを報知手段２４０に報知させる。つまり、制御部２１０は、位置検知手段６００および便座開閉検知手段２３０からの出力信号に基づいて、便座３００を下ろして着座可能となったときにケーシング２００が便器８００の上面８２０から上昇した状態であることを報知手段２４０に報知させる制御信号を出力する。
【００２７】
あるいは、報知手段２４０は、ケーシング２００が便器８００の上面８２０から上昇した状態が所定時間を経過すると、ブザーなどの音声により報知する。より具体的には、位置検知手段６００により検知されたケーシング２００の上昇状態が所定時間を経過すると、制御部２１０は、ケーシング２００が便器８００の上面８２０から上昇した状態であることを報知手段２４０に報知させる。
【００２８】
これらによれば、報知手段２４０は、ケーシング２００が便器８００の上面８２０から上昇した状態であることを報知し警告するため、使用者は、ケーシング２００が上昇状態であることに気付くことができる。そのため、ケーシング２００が上昇した状態において、使用者が便座３００を下ろして着座することを抑制することができる。これにより、昇降装置５００やケーシング２００や便座３００などが破損することを抑制することができる。また、使用者がバランスを崩すことを抑制することができ、安全性をより確保することができる。
【００２９】
なお、制御部２１０が報知手段２４０に報知させるタイミングは、これらだけに限定されるわけではない。例えば、そのタイミングは、位置検知手段６００がケーシング２００の上昇状態を検知している場合において、使用者の操作により操作部７００が便座３００を閉じる信号を出力し、制御部２１０が操作部７００からその出力信号を受信したときであってもよい。これによっても、前述した効果と同様の効果を得ることができる。
【００３０】
次に、ケーシング２００を上昇させる機構および動作について、図面を参照しつつさらに詳細に説明する。  
図３は、本実施形態のケーシングを下側から眺めた斜視模式図である。  
また、図４は、ケーシングの前方部が上昇した状態を側方から眺めた断面模式図である。  
なお、図３（ａ）は、ハンドル５４０を回動させる前の状態を表しており、図３（ｂ）は、ハンドル５４０を回動させた後の状態を表している。  
また、図４は、図１（ｂ）に表したＤ−Ｄ断面図である。
【００３１】
図３（ａ）および図３（ｂ）に表したように、ケーシング２００は、ケースカバー２０１と、ケースプレート２０２と、を有する。局部洗浄機能部２５０や乾燥装置２６０や脱臭装置２７０などは、ケースプレート２０２に適宜載置され、その上方をケースカバー２０１により覆われている。ケースプレート２０２の下側には、ケーシング２００の位置を検知する位置検知手段６００が設けられている。この位置検知手段６００については、後に詳述する。
【００３２】
ケースプレート２０２の下面には、図３（ａ）および図３（ｂ）に表したように、便器８００のボウル８１０の形状に略沿うように直線部分や湾曲部分などを有するパッキン２０５が付設されている。つまり、パッキン２０５は、ケースプレート２０２の下面におけるボウル８１０側の前端部に付設されている。パッキン２０５は、例えばゴムなどの弾性を有する材料により形成されている。そのため、ケーシング２００が便器８００の上面８２０に設置された際には、パッキン２０５は、圧縮変形し便器８００の上面８２０に密着する。そのため、パッキン２０５は、ケーシング２００と便器８００との間への汚水浸入を防止できる。
【００３３】
また、ケースプレート２０２の下面には、ケーシング２００の前方部を便器８００の上面８２０から上昇させ離間させる昇降装置５００が付設されている。昇降装置５００は、図３（ａ）および図３（ｂ）に表したように、回動軸５３０と、回動軸５３０の一端に固定されたハンドル５４０と、回動軸５３０の中間部に固定された支柱５５０と、を有する。回動軸５３０は、ハンドル５４０の回動と連動して回動することができる。また、支柱５５０は、回動軸５３０に固定されているため回動軸５３０の回動と連動して回動することができる。つまり、使用者は、ハンドル５４０を回動させると、回動軸５３０を介して支柱５５０を回動させることができる。なお、回動軸５３０と支柱５５０とは、一体的に形成されていてもよい。
【００３４】
ケーシング２００は、後方部において、固定具２０３により便器８００に取り付けられ、固定具２０３により取り付けられた部分を中心として便器８００に対して回動することができる。
【００３５】
そして、ケーシング２００の前方部が下降した状態（図３（ａ）参照）から、図３（ｂ）および図１（ｂ）に表した矢印Ａ２のように、使用者がハンドル５４０を回動させると、支柱５５０は、回動軸５３０を介して伝達されたハンドル５４０からの回動力を受け、図３（ｂ）に表したように回動する。すなわち、使用者がハンドル５４０を回動させると、支柱５５０は、ケースプレート２０２の下面からみて倒立した状態となる。
【００３６】
そうすると、支柱５５０は、図４に表したように、便器８００の内部に設置されたガイドプレート８４０に支持される。その結果として、支柱５５０は、昇降装置５００が付設されたケーシング２００の前方部を便器８００の上面８２０から上昇させ離間させることができる。支柱５５０が回動する際には、回動軸５３０に固定されていない側の支柱５５０の端部は、ガイドプレート８４０の表面と当接しつつその表面上をスライドする。このとき、支柱５５０およびガイドプレート８４０は、例えば樹脂などのような摺動性のより良い材料から形成されており、また支柱５５０の端部は、略円形の断面形状を有するため、その支柱５５０は、ガイドプレート８４０の表面上を滑らかにスライドすることができる。なお、ガイドプレート８４０は、便器８００とは別部材として設けられていてもよく、便器８００と一体的に形成されていてもよい。
【００３７】
これによれば、使用者は、より小さな力で楽にハンドル５４０を回動させ、ケーシング２００の前方部を便器８００の上面８２０から上昇させ離間させることができる。また、これにより、ケースプレート２０２の下面に付設されたパッキン２０５を便器８００の上面８２０から離間させることができる。そのため、図１および図２に関して前述したように、使用者は、ケーシング２００と、便器８００の上面８２０と、の間の隙間から清掃用具や手などを入れることにより、その隙間の部分やパッキン２０５などを容易に清掃することができる。
【００３８】
なお、本実施形態では、ケーシング２００の前方部が、その後方部を中心として回動し、便器８００の上面８２０から上昇して離間する場合を例に挙げて説明したが、ケーシング２００が便器８００の上面８２０から上昇する動作はこれだけに限定されるわけではない。例えば、ケーシング２００の下面と、便器８００の上面８２０と、が略並行状態を保ちつつ、ケーシング２００は、便器８００の上面８２０から上昇してもよい。つまり、昇降装置５００は、便器８００からみてケーシング２００を昇降させることができればよい。
【００３９】
次に、本実施形態の位置検知手段６００について、図面を参照しつつ説明する。  
図５は、本実施形態のケースプレートを下側から眺めた斜視模式図である。  
また、図６は、本実施形態の位置検知手段の構造を説明するための断面模式図である。  なお、図５（ａ）は、ハンドル５４０を矢印Ａ２の方向に回動させる前の状態を表しており、図５（ｂ）は、ハンドル５４０を矢印Ａ２の方向に回動させた後の状態を表している。  
また、図６は、図５（ａ）に表したＥ−Ｅ断面図である。
【００４０】
本実施形態の位置検知手段６００は、ケースプレート２０２の下側に設けられている。位置検知手段６００は、図６に表したように、マグネットユニット６１０と、ホールＩＣユニット６２０と、を有する。
【００４１】
マグネットユニット６１０は、図５（ａ）および図５（ｂ）に表したように、昇降装置５００の回動軸に固定されている。そのため、マグネットユニット６１０は、昇降装置５００の支柱５５０と同様に、回動軸５３０の回動と連動して回動することができる。つまり、使用者がハンドル５４０を矢印Ａ２の方向に回動させると、マグネットユニット６１０は、図５（ｂ）に表したように、回動軸５３０の回動と連動して回動し、ケースプレート２０２の下面からみて倒立した状態となる。  
一方、ホールＩＣユニット６２０は、ケースプレート２０２に設けられた収納部２０７に収納されている。
【００４２】
マグネットユニット６１０は、図６に表したように、回動軸５３０に固定されるマグネットケース６１１と、マグネット６１５を保持し保護するマグネットキャップ６１３と、マグネットキャップ６１３に保持されるマグネット６１５と、を有する。マグネットキャップ６１３は、マグネットケース６１１に挿入され固定されている。その結果、マグネット６１５は、マグネットケース６１１と、マグネットキャップ６１３と、の間に設けられている。
【００４３】
ホールＩＣユニット６２０は、図６に表したように、ケースプレート２０２の収納部２０７に収納され固定されるホールＩＣ基板６２１と、ホールＩＣ基板６２１の上方を覆いケースプレート２０２に固定されるホールＩＣカバー６２３と、を有する。そして、マグネットユニット６１０と、ホールＩＣユニット６２０と、はハンドル５４０が矢印Ａ２の方向に回動されていない状態において互いに隣接するように設置されている。これらについて、図面を参照しつつさらに詳細に説明する。
【００４４】
図７は、本実施形態の位置検知手段を上方から眺めた斜視模式図である。  
また、図８は、本実施形態の位置検知手段を下方から眺めた斜視模式図である。  
また、図９は、本実施形態のホールＩＣカバーの取付構造を表す斜視模式図である。
【００４５】
マグネットユニット６１０とホールＩＣユニット６２０とは、図７および図８に表したように、ハンドル５４０が矢印Ａ２（図５（ｂ）参照）の方向に回動されていない状態において互いに隣接するように設置されている。その結果、マグネットユニット６１０のマグネット６１５と、ホールＩＣユニット６２０のホールＩＣ基板６２１と、はハンドル５４０が矢印Ａ２の方向に回動されていない状態において互いに隣接する。なお、ホールＩＣカバー６２３は、図９に表したように、ホールＩＣ基板６２１の上方を覆い、ケースプレート２０２に適宜固定されている。
【００４６】
このように、マグネット６１５とホールＩＣ基板６２１とが隣接し、マグネット６１５からの磁界がホールＩＣ基板６２１に作用する状態では、ホールＩＣ基板６２１は、ホール効果などと呼ばれる効果により起電力（ホール電圧）を検知できる。そして、使用者がケーシング２００を便器８００の上面８２０から上昇させるためにハンドル５４０を矢印Ａ２の方向に回動させると、マグネットユニット６１０は、回動軸５３０の回動と連動して回動する。そうすると、ホールＩＣ基板６２１からみたマグネット６１５の位置が変化し、ホールＩＣ基板６２１は、ホール電圧の変化を検知できる。
【００４７】
そして、使用者がハンドル５４０を矢印Ａ２の方向にさらに回動させると、マグネット６１５からホールＩＣ基板６２１に作用する磁界が極めて小さくなる、あるいはマグネット６１５からの磁界がホールＩＣ基板６２１に作用しなくなる。そうすると、ホールＩＣ基板６２１は、起電力（ホール電圧）を検知できなくなる。このようにして、ホールＩＣ基板６２１は、マグネットユニット６１０の回動角度、すなわち回動軸５３０やハンドル５４０や支柱５５０の回動角度を検知することができる。
【００４８】
これにより、制御部２１０は、ケーシング２００の位置を検知できる。つまり、制御部２１０は、ケーシング２００が便器８００の上面８２０から上昇した状態であるか、あるいはケーシング２００が便器８００の上面８２０に下降した状態であるかなどを判断できる。
【００４９】
次に、位置検知手段６００の動作と、制御部２１０の判断と、の関係について、図面を参照しつつ説明する。  
図１０は、位置検知手段の動作と制御部の判断との関係を説明するための断面模式図である。  
また、図１１は、ホールＩＣ基板の検知範囲およびマグネットの回動軌跡を表す断面模式図である。  
なお、図１０（ａ）は、ハンドル５４０を矢印Ａ２の方向に回動させる前の状態を表しており、図１０（ｂ）は、ハンドル５４０を矢印Ａ２の方向に回動させた後の状態を表している。  
また、図１０および図１１は、図７に表したＦ−Ｆ断面図を表している。
【００５０】
ハンドル５４０が矢印Ａ２の方向に回動されていない状態、すなわちケーシング２００が便器８００の上面８２０に下降した状態において、マグネット６１５の中心６１５ａと、ホールＩＣ基板６２１の中心６２１ａと、の位置合わせがなされている。これにより、図１０（ａ）に表した状態、すなわちハンドル５４０が矢印Ａ２の方向に回動されていない状態では、ホールＩＣ基板６２１は、起電力（ホール電圧）を検知できる。このように、ホールＩＣ基板６２１がホール電圧を検知できる状態を、本願明細書においては「検知ＯＮ状態」ともいう。
【００５１】
一方、図１０（ｂ）に表した状態、すなわちマグネットユニット６１０が矢印Ａ４の方向に回動した状態では、マグネット６１５の中心６１５ａと、ホールＩＣ基板６２１の中心６２１ａと、がずれた状態となる。そうすると、ホールＩＣ基板６２１は、起電力（ホール電圧）を検知できない。このように、ホールＩＣ基板６２１がホール電圧を検知できない状態を、本願明細書においては「検知ＯＦＦ状態」ともいう。
【００５２】
この検知ＯＮ状態および検知ＯＦＦ状態について、図１１を参照しつつさらに詳細に説明すると、ホールＩＣ基板６２１は、ホールＩＣ基板６２１の中心６２１ａを中心とし、マグネット６１５の中心６１５ａを検知可能な検知領域６３１を有する。一方、マグネット６１５の中心６１５ａは、回動軸５３０を中心とした回動軌跡６３５上を回動できる。
【００５３】
そして、ホールＩＣ基板６２１は、マグネット６１５の中心６１５ａが検知領域６３１内に存在する場合には、ホール電圧を検知することができる。一方、ホールＩＣ基板６２１は、マグネット６１５の中心６１５ａが検知領域６３１内に存在しない場合には、ホール電圧を検知することができない。つまり、マグネットユニット６１０が矢印Ａ４（図１０（ｂ）参照）の方向に回動しても、マグネット６１５の中心６１５ａが検知領域６３１と回動軌跡６３５との交点６３３を通過する前では、ホールＩＣ基板６２１は、ホール電圧を検知することができる。一方、マグネットユニット６１０が矢印Ａ４の方向に回動し、マグネット６１５の中心６１５ａが検知領域６３１と回動軌跡６３５との交点６３３を通過すると、ホールＩＣ基板６２１は、ホール電圧を検知することができない。
【００５４】
制御部２１０は、ホールＩＣ基板６２１がホール電圧を検知すると、すなわち検知ＯＮ状態では、ケーシング２００が便器８００の上面８２０に下降した状態であると判断する。一方、制御部２１０は、ホールＩＣ基板６２１がホール電圧を検知しないと、すなわち検知ＯＦＦ状態では、ケーシング２００が便器８００の上面８２０から上昇した状態であると判断する。
【００５５】
さらには、例えば使用者が、ハンドル５４０を矢印Ａ１（図１（ａ）参照）の方向に引き出すと、マグネット６１５の中心６１５ａとホールＩＣ基板６２１の中心６２１ａとの間の距離は、回動軸５３０の軸方向により大きくなるが、マグネット６１５の中心６１５ａが検知領域６３１外に移動するわけではない。そのため、使用者などがハンドル５４０を矢印Ａ１の方向に引き出した状態では、ホールＩＣ基板６２１は、ホール電圧を検知することができる。つまり、この状態では、制御部２１０は、ケーシング２００が便器８００の上面８２０に下降した状態であると判断する。
【００５６】
なお、制御部２１０は、ケーシング２００が便器８００の上面８２０から上昇した状態であると判断すると、局部洗浄機能部２５０と、乾燥装置２６０と、脱臭装置２７０と、への通電を停止し動作不能とすることがより好ましい。一方、制御部２１０は、ケーシング２００が便器８００の上面８２０から上昇した状態であると判断しても、便器洗浄装置２８０への通電を停止せず動作可能とすることがより好ましい。
【００５７】
次に、本実施形態にかかるトイレ装置の動作の具体例について、図面を参照しつつ説明する。  
図１２は、本実施形態にかかるトイレ装置の動作の具体例を表すフローチャートである。  
まず、制御部２１０は、待機状態（ステップＳ１０１）から、位置検知手段６００が検知ＯＮ状態であるか否か、すなわちケーシング２００が便器８００の上面８２０に下降した状態であるか否かを判断する（ステップＳ１０３）。位置検知手段６００が検知ＯＮ状態ではない、すなわち検知ＯＦＦ状態である場合には（ステップＳ１０３：ＮＯ）、制御部２１０は、ケーシング２００が便器８００の上面８２０から上昇した状態であると判断する。
【００５８】
続いて、制御部２１０は、便座開閉検知手段２３０が便座の閉止を検知したか否かを判断する（ステップＳ１０５）。便座開閉検知手段２３０が便座の閉止を検知すると（ステップＳ１０５：ＹＥＳ）、制御部２１０は、ケーシング２００が便器８００の上面８２０から上昇した状態であることを報知手段２４０に報知させる（ステップＳ１０７）。
【００５９】
このとき、制御部２１０は、位置検知手段６００が検知ＯＮ状態になるまで、すなわちケーシング２００が便器８００の上面８２０に下降されるまで、音声や光などによる報知を継続させることができる。  
あるいは、制御部２１０は、一定時間の間だけ報知を実行させ、しばらく経ってから再び一定時間の間だけ報知を実行させてもよい。すなわち、制御部２１０は、間欠的に報知手段２４０に報知させてもよい。  
あるいは、使用者が報知に気付き、操作部７００などによりその報知を停止させても、位置検知手段６００が検知ＯＮ状態とならない場合には、制御部２１０は、その停止から一定時間後に再び報知を実行させてもよい。
【００６０】
続いて、制御部２１０は、位置検知手段６００が検知ＯＮ状態であるか否かを判断し（ステップＳ１０９）、位置検知手段６００が検知ＯＮ状態である場合には（ステップＳ１０９：ＹＥＳ）、報知手段２４０による報知を終了させ待機状態となる（ステップＳ１０１）。
【００６１】
本具体例によれば、ケーシング２００が便器８００の上面８２０から上昇した状態において、便座３００が閉じると、報知手段２４０は、ケーシング２００が便器８００の上面８２０から上昇した状態であることを報知する。そのため、使用者が便座３００に着座する前に報知し警告することができ、使用者が便座３００を下ろして着座することを抑制することができる。これにより、昇降装置５００やケーシング２００や便座３００などが破損することを抑制することができる。また、使用者がバランスを崩すことを抑制することができ、安全性をより確保することができる。
【００６２】
図１３は、本実施形態にかかるトイレ装置の動作の他の具体例を表すフローチャートである。  
まず、ステップＳ２０１およびＳ２０３の動作については、図１２に関して前述したステップＳ１０１およびＳ１０３の動作と同様である。続いて、位置検知手段６００が検知ＯＮ状態ではない、すなわち検知ＯＦＦ状態である場合には（ステップＳ２０３：ＮＯ）、制御部２１０は、タイマをスタートさせる（ステップＳ２０５）。
【００６３】
続いて、制御部２１０は、位置検知手段６００が検知ＯＮ状態であるか否かを再び判断し（ステップＳ２０７）、位置検知手段６００が検知ＯＮ状態である場合には（ステップＳ２０７：ＹＥＳ）、待機状態となる（ステップＳ２０１）。一方、位置検知手段６００が検知ＯＮ状態ではない、すなわち検知ＯＦＦ状態である場合には（ステップＳ２０７：ＮＯ）、制御部２１０は、タイマが所定時間よりも長くなったか否かを判断する（ステップＳ２０９）。なお、本具体例における所定時間は、例えば約２〜３分程度である。但し、この所定時間は一例であり、適宜変更することができる。
【００６４】
タイマが所定時間以下である場合には（ステップＳ２０９：ＮＯ）、制御部２１０は、ステップＳ２０７およびＳ２０９の動作を繰り返す。一方、タイマが所定時間よりも長くなった場合には（ステップＳ２０９：ＹＥＳ）、制御部２１０は、ケーシング２００が便器８００の上面８２０から上昇した状態であることを報知手段２４０に音声により報知させる（ステップＳ２１１）。この音声による報知方法は、図１２に関して前述したステップＳ１０７における報知方法と同様に、継続的であってもよいし間欠的であってもよい。続いて、ステップＳ２１３の動作については、図１２に関して前述したステップＳ１０９の動作と同様である。
【００６５】
本具体例によれば、ケーシング２００が便器８００の上面８２０から上昇した状態が所定時間を経過すると、報知手段２４０は、ケーシング２００が便器８００の上面８２０から上昇した状態であることを音声により報知する。そのため、使用者がケーシング２００を下降させることを忘れてトイレ室から退室した場合でも、報知手段２４０は、その操作忘れを使用者に気付かせることができる。つまり、報知手段２４０は、ケーシング２００を下降させることを使用者に促すことができる。そのため、使用者は、トイレ室に戻り、ケーシング２００を下降させることができる。これにより、図１２に関して前述した効果と同様の効果を得ることができる。
【００６６】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、位置検知手段６００などが備える各要素の形状、寸法、材質、配置などやマグネット６１５およびホールＩＣ基板６２１の設置形態などは、例示したものに限定されるわけではなく適宜変更することができる。  
また、前述した各実施の形態が備える各要素は、技術的に可能な限りにおいて組み合わせることができ、これらを組み合わせたものも本発明の特徴を含む限り本発明の範囲に包含される。
【符号の説明】
【００６７】
１００ 局部洗浄装置、  ２００ ケーシング、  ２０１ ケースカバー、  ２０２ ケースプレート、  ２０３ 固定具、  ２０５ パッキン、  ２０７ 収納部、  ２１０ 制御部、  ２３０ 便座開閉検知手段、  ２４０ 報知手段、  ２５０ 局部洗浄機能部、  ２６０ 乾燥装置、  ２７０ 脱臭装置、  ２８０ 便器洗浄装置、  ３００ 便座、  ４００ 便蓋、  ５００ 昇降装置、  ５３０ 回動軸、  ５４０ ハンドル、  ５５０ 支柱、  ６００ 位置検知手段、  ６１０ マグネットユニット、  ６１１ マグネットケース、  ６１３ マグネットキャップ、  ６１５ マグネット、  ６１５ａ 中心、  ６２０ ホールＩＣユニット、  ６２１ ホールＩＣ基板、  ６２１ａ 中心、  ６２３ ホールＩＣカバー、  ６３１ 検知領域、  ６３３ 交点、  ６３５ 回動軌跡、  ７００ 操作部、  ８００ 便器、  ８１０ ボウル、  ８２０ 上面、  ８３０ パネル、  ８４０ ガイドプレート
【図１】
2010269063.tif 000003
【図２】
2010269063.tif 000004
【図３】
2010269063.tif 000005
【図４】
2010269063.tif 000006
【図５】
2010269063.tif 000007
【図６】
2010269063.tif 000008
【図７】
2010269063.tif 000009
【図８】
2010269063.tif 000010
【図９】
2010269063.tif 000011
【図１０】
2010269063.tif 000012
【図１１】
2010269063.tif 000013
【図１２】
2010269063.tif 000014
【図１３】
2010269063.tif 000015